(57)【要約】【課題】本発明は、無線受信機において、受信信号から直接的にＲＳＳＩを求めるＩＣを用いずにＲＳＳＩを提示するＲＳＳＩ提示装置を提供する。【解決手段】帰還部１００は、Ｉ信号のレベル情報とＱ信号のレベル情報とから出力信号強度情報Ｉ２＋Ｑ２を算出し、出力信号強度情報Ｉ２＋Ｑ２が所期の目標値に接近するように、制御レベル情報ＣＬを調整し、可変利得増幅器４０をＡＧＣ制御している。記憶部４は、受信信号強度ＲＳＳＩと、制御レベル情報ＣＬとの対応関係を示す対応関係情報を予め記憶している。換算部３は、帰還部１００から与えられ、制御レベル情報取得部２が取得した、制御レベル情報ＣＬの値に対応するＲＳＳＩ値を記憶部４から検索し、当該検索された値をＲＳＳＩとして制御部７０に提示する。【選択図】          図１
2004304627.tif 000002
【特許請求の範囲】
【請求項１】
受信信号を所定のレベルに増幅する可変利得増幅器を自動利得制御する無線受信機において、受信信号の強度を示すＲＳＳＩを提示するＲＳＳＩ提示装置であって、
受信信号の強度と、前記可変利得増幅器を自動利得制御する制御レベル情報ＣＬとの対応関係情報を記憶している記憶手段と、
前記制御レベル情報ＣＬを取得する制御レベル情報取得手段と、
前記取得された制御レベル情報ＣＬを、前記対応関係情報を用いて受信信号の強度に換算し、当該換算された受信信号の強度をＲＳＳＩとして提示する換算手段と
を備える事を特徴とした無線受信機におけるＲＳＳＩ提示装置。
【請求項２】
前記記憶手段は、前記受信信号の強度値を、制御レベル情報ＣＬの値との異なる複数の組み合わせそれぞれに対応させて記憶しており、
前記換算手段は、前記可変利得増幅器を自動利得制御する制御信号レベル情報ＣＬの値に対応して前記記憶手段に記憶されている前記受信信号の強度値を検索し、当該検索された強度値をＲＳＳＩとして提示する
ことを特徴とする請求項１に記載のＲＳＳＩ提示装置。
【請求項３】
受信信号を所定のレベルに増幅する可変利得増幅器を自動利得制御する無線受信機において、受信信号の強度を示すＲＳＳＩを提示するＲＳＳＩ提示方法であって、
受信信号の強度と、前記可変利得増幅器を自動利得制御する制御レベル情報ＣＬとの対応関係情報を用いて実行され、
前記制御レベル情報ＣＬを取得する制御レベル情報取得ステップと、
前記取得された制御レベル情報ＣＬを、前記対応関係情報を用いて受信信号の強度に換算し、当該換算された受信信号の強度をＲＳＳＩとして提示する換算ステップと
を含む事を特徴とした無線受信機におけるＲＳＳＩ提示方法。
【請求項４】
受信信号を所定のレベルに増幅する可変利得増幅器を自動利得制御する無線受信機において、受信信号の強度を示すＲＳＳＩを提示するためのコンピュータ実行可能なプログラムであって、
前記ＲＳＳＩの提示は、受信信号の強度と、前記可変利得増幅器を自動利得制御する制御レベル情報ＣＬとの対応関係情報を用いて行われ、
前記制御レベル情報ＣＬを取得する制御レベル情報取得ステップと、
前記取得された制御レベル情報ＣＬを、前記対応関係情報を用いて受信信号の強度に換算し、当該換算された受信信号の強度をＲＳＳＩとして提示する換算ステップと
をコンピュータに実行させる事を特徴とするプログラム。
【発明の詳細な説明】
【０００１】
【発明が属する技術分野】
本発明は、無線受信機の中でもとりわけ携帯電話機や携帯型無線情報端末において、受信した信号の強度を示すＲＳＳＩを提示する技術に関する。
【０００２】
【従来の技術】
従来の無線受信装置、中でも携帯電話機や携帯型無線情報端末においては、所定の周波数チャネルを使用して無線通信を開始するにあたり、当該周波数チャネルで信号を受信してその強度を測定する。このとき測定される受信信号の強度は、ＲＳＳＩ（Ｒｅｃｅｉｖｅｄ  Ｓｉｇｎａｌ  Ｓｔｒｅｎｇｔｈ  Ｉｎｄｉｃａｔｏｒ）と呼ばれる指標で表示される。そして、表示されたＲＳＳＩが所定のしきい値以下であれば、当該周波数チャネルは他の無線受信機によって使用されていないと判断し、自ら当該周波数チャネルを使用して無線通信を開始する。
【０００３】
従来の携帯電話機や携帯型無線情報端末においては、ＲＳＳＩを測定するためのＩＣ（Ｉｎｔｅｇｒａｔｅｄ  Ｃｉｒｃｕｉｔ）を備え、当該ＩＣを用いて受信信号から直接的にＲＳＳＩを求めている。ＲＳＳＩの測定に利用可能なＩＣとして、例えばアナログデバイセズ社製のＡＤ８３１０（非特許文献１を参照）がある。
図６は、上記ＲＳＳＩを測定するためのＩＣ１０１０を備える無線受信装置の典型的な構成を示している。ＲＳＳＩ測定用ＩＣ１０１０が所定のしきい値を超えるＲＳＳＩを制御部９７０に示した場合、制御部９７０は、その周波数チャネルの使用を断念する。
【０００４】
【非特許文献１】
”Ｆａｓｔ，  Ｖｏｌｔａｇｅ−Ｏｕｔ  ＤＣ−４４０ＭＨｚ  ９５ｄＢ  Ｌｏｇａｒｉｔｈｍｉｃ  Ａｍｐｌｉｆｉｅｒ  ＡＤ８３１０”，  Ｒｅｖ．Ａ，  Ａｎａｌｏｇ  Ｄｅｖｉｃｅｓ，  Ｉｎｃ．，  １９９９，  製品データシート
【０００５】
【発明が解決しようとする課題】
しかしながら、上記従来技術の無線受信機、中でも携帯電話機や携帯型無線情報端末において、ＲＳＳＩを測定するために備えられるＩＣは、装置を構成する部品点数の削減を阻害する。このことは、小型軽量化を強く希求される携帯電話機や携帯型無線情報端末において問題となる。
【０００６】
上記の問題に鑑み、本発明は、受信信号から直接的にＲＳＳＩを求めるＩＣを用いることなく、ＲＳＳＩを求める事ができる無線受信機におけるＲＳＳＩ提示装置、及び無線受信機におけるＲＳＳＩ提示方法の提供を目的とする。
【０００７】
【課題を解決するための手段】
上記問題を解決するため、本発明の無線受信機におけるＲＳＳＩ提示装置は、受信信号を所定のレベルに増幅する可変利得増幅器を自動利得制御する無線受信機において、受信信号の強度を示すＲＳＳＩを提示するＲＳＳＩ提示装置であって、受信信号の強度と、前記可変利得増幅器を自動利得制御する制御レベル情報ＣＬとの対応関係情報を記憶している記憶手段と、前記制御レベル情報ＣＬを取得する制御レベル情報取得手段と、前記取得された制御レベル情報ＣＬを、前記対応関係情報を用いて受信信号の強度に換算し、当該換算された受信信号の強度をＲＳＳＩとして提示する換算手段とを備える。
【０００８】
また、前記記憶手段は、さらに、前記受信信号の強度値を、制御レベル情報ＣＬの値との異なる複数の組み合わせそれぞれに対応させて記憶しており、前記換算手段は、前記可変利得増幅器を自動利得制御する制御信号レベル情報ＣＬの値に対応して前記記憶手段に記憶されている前記受信信号の強度値を検索し、当該検索された強度値をＲＳＳＩとして提示してもよい。
【０００９】
上記問題を解決するため、本発明の無線受信機におけるＲＳＳＩ提示方法は、受信信号を所定のレベルに増幅する可変利得増幅器を自動利得制御する無線受信機において、受信信号の強度を示すＲＳＳＩを提示するＲＳＳＩ提示方法であって、受信信号の強度と、前記可変利得増幅器を自動利得制御する制御レベル情報ＣＬとの対応関係情報を用いて実行され、前記制御レベル情報ＣＬを取得する制御レベル情報取得ステップと、前記取得された制御レベル情報ＣＬを、前記対応関係情報を用いて受信信号の強度に換算し、当該換算された受信信号の強度をＲＳＳＩとして提示する換算ステップとを含む。
【００１０】
上記問題を解決するため、本発明のプログラムは、受信信号を所定のレベルに増幅する可変利得増幅器を自動利得制御する無線受信機において、受信信号の強度を示すＲＳＳＩを提示するためのコンピュータ実行可能なプログラムであって、前記ＲＳＳＩの提示は、受信信号の強度と、前記可変利得増幅器を自動利得制御する制御レベル情報ＣＬとの対応関係情報を用いて行われ、前記制御レベル情報ＣＬを取得する制御レベル情報取得ステップと、前記取得された制御レベル情報ＣＬを、前記対応関係情報を用いて受信信号の強度に換算し、当該換算された受信信号の強度をＲＳＳＩとして提示する換算ステップとをコンピュータに実行させる。
【００１１】
【発明の実施の形態】
実施の形態におけるＲＳＳＩ提示装置は、自動利得制御（ＡＧＣ：Ａｕｔｏｍａｔｉｃ  Ｇａｉｎ  Ｃｏｎｔｒｏｌ）される可変利得増幅器を用いて、受信信号を良好なダイナミックレンジが得られる一定強度に増幅する無線受信機の一部を構成し、当該無線受信機において可変利得増幅器を自動利得制御する制御レベル情報ＣＬの値を、受信信号の強度を示す値に換算し、当該換算された値を、前記受信信号の強度ＲＳＳＩとして提示する。
【００１２】
その為に本実施の形態では、復調されたＩ、Ｑ信号の２乗和Ｉ２＋Ｑ２がほぼ一定となるように可変利得増幅器が自動利得制御されるという条件の下で、受信信号の強度と、可変利得増幅器を自動利得制御する制御レベル情報ＣＬとの間に一定の相関関係がある事を利用し、この相関関係を、予め前記受信信号の強度ＲＳＳＩと、制御レベル情報ＣＬの２つの値を測定する事により、対応関係情報としてテーブルに格納しておき、前記条件の下にこのテーブルを前記制御レベル情報ＣＬの値で検索する事によって、前記制御レベル情報ＣＬの値をＲＳＳＩ値に換算し、当該換算された値を受信信号強度ＲＳＳＩとして提示する。
（全体構成）
図１は、本実施の形態における無線受信機の全体構成を示すブロック図であり、図中のＲＳＳＩ提示部１が、本発明のＲＳＳＩ提示装置に相当する。
【００１３】
当該無線受信機は、ＲＳＳＩ提示部１、アンテナ１０、ＲＦ増幅器２０、周波数変換器３０、可変利得増幅器４０、復調部５０、ベースバンド部６０、制御部７０、Ａ／Ｄコンバータ８０、及び８１、Ｄ／Ａコンバータ９０、並びに、帰還部１００から構成される。
ＲＳＳＩ提示部１は、制御レベル情報取得部２、換算部３、及び記憶部４から構成される。ここで、ＲＳＳＩ提示部１は、具体的には、ＤＳＰ（Ｄｉｇｉｔａｌ  Ｓｉｇｎａｌ  Ｐｒｏｃｅｓｓｏｒ）と当該ＤＳＰが実行するプログラムを記憶しているＲＯＭ（Ｒｅａｄ  Ｏｎｌｙ  Ｍｅｍｏｒｙ）、及びＤＳＰがプログラムを実行する際の作業領域であるＲＡＭからなり、当該各部の機能は、当該ＤＳＰが当該プログラムを実行することによって実現される。
【００１４】
アンテナ１０に受信された受信信号ＲＸは、ＲＦ増幅器２０により増幅され、周波数変換器３０により中間周波数信号へ周波数変換された後、可変利得増幅器４０で増幅される。復調部５０は、可変利得増幅器４０からの出力信号を復調したＩ信号、及びＱ信号をＡ／Ｄコンバータ８０、及び８１にそれぞれ供給する。Ａ／Ｄコンバータ８０、及び８１は、復調部５０から供給されるＩ信号、及びＱ信号をそれぞれデジタル変換し、ベースバンド部６０、及び帰還部１００へ供給する。当該デジタル変換後のＩ信号、及びＱ信号は、それぞれの信号レベルを表す時系列数値情報である。
【００１５】
（Ｉ信号、及びＱ信号の詳細）
一例として、変調方式がπ／４シフトＱＰＳＫである場合の、Ｉ信号、及びＱ信号の詳細について説明する。
図２は、π／４シフトＱＰＳＫ変調されたＩ信号対Ｑ信号の典型的なコンスタレーションチャートである。Ｉ信号、及びＱ信号のレベルは、このチャートに示された曲線上を遷移する。
【００１６】
図３は、このように遷移するＩ信号、及びＱ信号のレベルの２乗和の平方根値を時系列にプロットした時間変位グラフである。即ち、前述したデジタル変換後のＩ信号、及びＱ信号の２乗和の平方根値の時間変位を示している。
ベースバンド部６０は、当該デジタル変換後のＩ信号、及びＱ信号を、例えば、図外の情報処理部へ供給し、また別の例では、音声信号に変換して図外のスピーカから発音する。
【００１７】
帰還部１００は、復調部５０から出力されるＩ信号、及びＱ信号それぞれのレベルが、Ａ／Ｄコンバータ８０、及び８１で良好にデジタル変換されるレンジに入る（つまり良好なダイナミックレンジを与える）ように、可変利得増幅器４０の利得をフィードバック制御する。
このために、帰還部１００は、所定のサンプリング時間毎に、Ａ／Ｄコンバータ８０、及び８１からそれぞれ与えられたＩ信号のレベル情報と、Ｑ信号のレベル情報とを２乗和して、出力信号強度情報Ｉ２＋Ｑ２を算出する。即ち、図３に示したような時系列数値情報を求める。
【００１８】
一方、帰還部１００は、Ｉ信号及びＱ信号に良好なダイナミックレンジを与える出力信号強度情報Ｉ２＋Ｑ２の目標値を予め保持しており、過去所定時間内に算出された出力信号強度情報Ｉ２＋Ｑ２の最大値が、当該目標値に接近するように、制御レベル情報ＣＬを調整する。前記調整された制御レベル情報ＣＬは、Ｄ／Ａコンバータ９０によりアナログ値に変換された後、受信信号レベル制御信号ＲＸＬＣとして、可変利得増幅器４０に供給される。これにより可変利得増幅器４０は自動利得制御（ＡＧＣ）され、受信信号ＲＸの強度が変化した場合でも、ベースバンド部６０へ供給するＩ信号、及びＱ信号の２乗和Ｉ２＋Ｑ２は、良好なダイナミックレンジが得られる一定の強度に維持される。
【００１９】
Ｄ／Ａコンバータ９０は、帰還部１００から与えられる制御レベル情報ＣＬをアナログ値に変換し、受信信号レベル制御信号ＲＸＬＣとして可変利得増幅器４０へ供給する。
制御部７０は、当該無線受信機全体の動作を統御する。
（ＲＳＳＩ提示部の詳細）
ＲＳＳＩ提示部１の機能は、復調されたＩ、Ｑ信号の２乗和Ｉ２＋Ｑ２がほぼ一定となるように可変利得増幅器が自動利得制御されるという条件の下で、受信信号ＲＸの強度ＲＳＳＩと制御レベル情報ＣＬとの間に成立する対応関係を用いて、前記制御レベル情報ＣＬの値を、受信信号ＲＸの強度ＲＳＳＩに換算する事である。
【００２０】
このために、記憶部４は、受信信号ＲＸの強度ＲＳＳＩと、制御レベル情報ＣＬとの対応関係を示す対応関係情報を、対応関係テーブル２００として記憶している。
図４は、記憶部４において、前記対応関係テーブル２００に記憶されている対応関係情報の具体例を示す。
【００２１】
対応関係テーブル２００は、ＲＳＳＩ欄２０１、及びＣＬ欄２０２とからなり、ＲＳＳＩ欄に示される強度の受信信号ＲＸを受信した場合に、可変利得増幅器４０の利得を制御する制御レベル情報ＣＬの値を、ＣＬ欄に格納している。
上記対応関係テーブル２００は、複数の行それぞれに、ＲＳＳＩ値、ＣＬ値の異なる組み合わせを格納している。当該対応関係情報は、本発明の範囲外において予め求められ、当該対応関係テーブル２００に格納される。
【００２２】
制御レベル情報取得部２は、所定のサンプリング時間毎に、帰還部１００から供給される制御レベル情報ＣＬを取得する。
換算部３は、所定のサンプリング時間毎に、制御レベル情報取得部２が取得した、前記制御レベル情報ＣＬの値に対応するＲＳＳＩ値を、前記対応関係テーブル２００から検索し、当該検索されたＲＳＳＩ値を制御部７０へ提示する。このとき、換算部３は、制御レベル情報取得部２が取得した制御レベル情報ＣＬの値に一致するか、又は最も近い値を示す行に保持されているＲＳＳＩ値を検索する。
【００２３】
また、換算部３は、制御レベル情報取得部２が取得した制御レベル情報ＣＬの値を含む範囲を示す２行にそれぞれ保持されているＲＳＳＩ値を検索し、それらを補間して得た値を制御部７０へ提示してもよい。
図５は、ＲＳＳＩ提示部１が実行する処理の一例を示すフローチャートであり、制御レベル情報ＣＬの値による対応関係テーブル２００の検索を行う事により、当該制御レベル情報ＣＬの値をＲＳＳＩ値に換算する処理を示している。ＲＳＳＩ提示部１は、この処理を所定のサンプリング時間毎に、繰り返し実行する。
【００２４】
帰還部１００は、復調部５０から出力された信号をＡ／Ｄコンバータ８０、及び８１を介してデジタル変換したＩ信号とＱ信号から算出（Ｓ０１）した、出力信号強度情報Ｉ２＋Ｑ２と、予め保持された図示しない出力信号強度情報Ｉ２＋Ｑ２の目標値とを比較し、前者が後者よりも大きければ、可変利得増幅器４０の利得を下げる方向に制御レベル情報ＣＬを調整し、また前者が後者よりも小さければ、可変利得増幅器４０の利得を上げる方向に制御レベル情報ＣＬを調整する（Ｓ０２）。
【００２５】
これによって調整された制御レベル情報ＣＬを、Ｄ／Ａコンバータ９０によりアナログ値に変換したものを、受信信号レベル制御信号ＲＸＬＣとして、可変利得増幅器４０に供給する事により、可変利得増幅器４０は自動利得制御（ＡＧＣ）され、受信信号ＲＸの強度が変化した場合でも、ベースバンド部６０へ供給するＩ信号、及びＱ信号の２乗和Ｉ２＋Ｑ２は、一定の強度に維持される（Ｓ０３）。
【００２６】
換算部３は、帰還部１００によって調整され、制御レベル情報取得部２により取得された制御レベル情報ＣＬの値に対応するＲＳＳＩ値を記憶部４から検索する（Ｓ０４）。
最後に、換算部３は、当該検索されたＲＳＳＩ値、又は、前述した補間によって得られたＲＳＳＩ値を、制御部７０へ提示する（Ｓ０５）。
（まとめ）
以上説明したように、本実施の形態の無線受信機におけるＲＳＳＩ提示装置は、帰還部より可変利得増幅器に供給される利得制御信号を制御レベル情報ＣＬとして取得し、予め記憶されている受信信号強度ＲＳＳＩと制御レベル情報ＣＬとの対応関係情報を用いて、当該取得された制御レベル情報ＣＬを受信信号強度ＲＳＳＩに換算し、提示する。
【００２７】
この構成は、可変利得増幅器を備える無線受信機、中でも携帯電話機や携帯型無線情報端末において、ＲＳＳＩを測定するためだけに設けられていたＩＣを代替し、当該ＩＣを省略可能とする。
（その他の変形例）
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法を、コンピュータシステムを用いて実現するためのコンピュータプログラムであるとしてもよいし、前記プログラムを表すデジタル信号であるとしてもよい。
【００２８】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００２９】
また、前記プログラム又は前記デジタル信号は、前記記録媒体に記録されて移送され、若しくは、前記ネットワーク等を経由して移送され、独立した他のコンピュータシステムにおいて実施されるとしてもよい。
（２）実施の形態では、対応関係情報を、ＲＳＳＩ、及びＣＬのそれぞれの具体値の組み合わせとしてテーブルに保持する例を示したが、対応関係情報の表現形式は当該形式に限定されない。
【００３０】
例えば、対応関係情報を、ＲＳＳＩ、及びＣＬの間に成り立つ関係式の形式で保持しておき、当該関係式に、帰還部１００によって調整された制御レベル情報ＣＬを代入し、ＲＳＳＩについて解くことによってＲＳＳＩに換算してもよい。
（３）実施の形態では、対応関係情報を、ＲＳＳＩ、及びＣＬのそれぞれの具体値の組み合わせとしてテーブルに保持する例を示したが、ＲＳＳＩ値を検索する値は、制御レベル情報ＣＬ以外でもよい。Ｉ信号のレベル情報、及びＱ信号のレベル情報を用いて算出される量であり、Ｉ信号、及びＱ信号の２乗和Ｉ２＋Ｑ２がほぼ一定となるように可変利得増幅器がＡＧＣ制御されるという条件の下で、ＲＳＳＩとの相関性がある量（以下、Ｘと表記する）であればよい。この量Ｘと、ＲＳＳＩとのそれぞれの具体値の組み合わせをテーブルに保持してもよいし、若しくは、ＲＳＳＩ、及びＸの間に成り立つ関係式の形式で保持してもよい。前記テーブルを、Ｉ信号、及びＱ信号から求められるＸの値で検索し、若しくは検索された値を補間する事により、ＲＳＳＩに換算してもよいし、前記関係式に、Ｉ信号、及びＱ信号から求められるＸの値を代入し、ＲＳＳＩについて解くことによってＲＳＳＩに換算してもよい。
（４）実施の形態では、Ｉ信号、及びＱ信号に良好なダイナミックレンジを与えるために、過去所定時間内に算出された出力信号強度情報Ｉ２＋Ｑ２の最大値が当該目標値に接近するように制御レベル情報ＣＬを調整するとしたが、過去所定時間内に算出された出力信号強度情報Ｉ２＋Ｑ２の平均値（いわゆる移動平均）が当該目標値に接近するように制御レベル情報ＣＬを調整してもよいし、シンボル点の到来時刻に同期してサンプリングされた出力信号強度情報Ｉ２＋Ｑ２の値が当該目標値に接近するように制御レベル情報ＣＬを調整してもよい。
（５）また、通信方式として時分割多重アクセス方式を採り、各タイムスロットの先頭、例えばプリアンブル部分、において固定されたシンボル系列が通信される場合には、当該部分においてのみ制御レベル情報ＣＬを調整してもよい。
【００３１】
当該部分では、固定されたシンボル系列に基づいて制御レベル情報ＣＬを調整できるから、調整の精度向上が期待できる。
【００３２】
【発明の効果】
本発明の無線受信機におけるＲＳＳＩ提示装置は、受信信号を所定のレベルに増幅する可変利得増幅器を自動利得制御する無線受信機において、受信信号の強度を示すＲＳＳＩを提示するＲＳＳＩ提示装置であって、受信信号の強度と、前記可変利得増幅器を自動利得制御する制御レベル情報ＣＬとの対応関係情報を記憶している記憶手段と、前記制御レベル情報ＣＬを取得する制御レベル情報取得手段と、前記取得された制御レベル情報ＣＬを、前記対応関係情報を用いて受信信号の強度に換算し、当該換算された受信信号の強度をＲＳＳＩとして提示する換算手段とを備える。
【００３３】
この構成によれば、ＡＧＣ制御された可変利得増幅器に与える利得制御信号を、予め記憶されている対応関係情報を用いて、受信信号強度ＲＳＳＩに換算し、当該換算された値をＲＳＳＩとして提示する。この構成は、ＤＳＰによるデジタル信号処理機能として実現できるから、受信信号から直接的にＲＳＳＩを求める従来のＩＣを、当該機能を実現するＤＳＰで代替することにより、当該従来のＩＣを用いずにＲＳＳＩを提示できる。
【００３４】
昨今の無線受信機は、受信信号を良好なダイナミックレンジが得られる一定の強度に維持するためのＡＧＣ制御をはじめとする各種の信号処理を、ＤＳＰを用いてデジタル処理しており、本発明の構成は、そのような無線受信機に適している。
またこの構成は、可変利得増幅器から実際に得られた出力信号を考慮するから、出力信号が目標の強度に収束していない状態、つまり過渡状態においてもＲＳＳＩを提示できる。このため、制御チャンネルにおける受信信号のように、継続時間が比較的短く、当該継続時間中に十分な収束が得られない信号の場合にも、ＲＳＳＩ値を良好に提示する事ができる。
【００３５】
また、前記記憶手段は、さらに、前記受信信号の強度値を、制御レベル情報ＣＬの値との異なる複数の組み合わせそれぞれに対応させて記憶しており、
前記換算手段は、前記可変利得増幅器を自動利得制御する制御信号レベル情報ＣＬの値に対応して前記記憶手段に記憶されている前記受信信号の強度値を検索し、当該検索された強度値をＲＳＳＩとして提示してもよい。
【００３６】
この構成によれば、前記対応関係情報を具体値の組み合わせの形式でテーブルに保持し検索するので、コンピュータプログラムを用いた実装に適している。
本発明の無線受信機におけるＲＳＳＩ提示方法は、受信信号を所定のレベルに増幅する可変利得増幅器を自動利得制御する無線受信機において、受信信号の強度を示すＲＳＳＩを提示するＲＳＳＩ提示方法であって、受信信号の強度と、前記可変利得増幅器を自動利得制御する制御レベル情報ＣＬとの対応関係情報を用いて実行され、前記制御レベル情報ＣＬを取得する制御レベル情報取得ステップと、前記取得された制御レベル情報ＣＬを、前記対応関係情報を用いて受信信号の強度に換算し、当該換算された受信信号の強度をＲＳＳＩとして提示する換算ステップとを含む。
【００３７】
この方法によれば、前述と同様の効果を有する受信信号強度ＲＳＳＩの提示を行う事ができる。
本発明のプログラムは、受信信号を所定のレベルに増幅する可変利得増幅器を自動利得制御する無線受信機において、受信信号の強度を示すＲＳＳＩを提示するためのコンピュータ実行可能なプログラムであって、前記ＲＳＳＩの提示は、受信信号の強度と、前記可変利得増幅器を自動利得制御する制御レベル情報ＣＬとの対応関係情報を用いて行われ、前記制御レベル情報ＣＬを取得する制御レベル情報取得ステップと、前記取得された制御レベル情報ＣＬを、前記対応関係情報を用いて受信信号の強度に換算し、当該換算された受信信号の強度をＲＳＳＩとして提示する換算ステップとをコンピュータに実行させる。
【００３８】
このプログラムによれば、前述と同様の効果を有する受信信号強度ＲＳＳＩの提示をコンピュータに実行させることができる。
【図面の簡単な説明】
【図１】ＲＳＳＩ提示部を含んで構成される無線受信機の全体構成を示している。
【図２】π／４シフトＱＰＳＫ変調におけるコンスタレーションチャートである。
【図３】Ｉ信号、及びＱ信号の２乗和の平方根値の時系列変位グラフである。
【図４】対応関係情報の具体例である。
【図５】ＲＳＳＩ提示部が実行する処理の一例を示すフローチャートである。
【図６】従来の無線受信機の典型的な構成例を示している。
【符号の説明】
１    ＲＳＳＩ提示部
２    制御レベル情報取得部
３    換算部
４    記憶部
１０    アンテナ
２０    ＲＦ増幅器
３０    周波数変換器
４０    可変利得増幅器
５０    復調部
６０    ベースバンド部
７０    制御部
８０    Ａ／Ｄコンバータ
８１    Ａ／Ｄコンバータ
９０    Ｄ／Ａコンバータ
１００    帰還部
２００    対応関係テーブル
２０１    ＲＳＳＩ欄
２０２    ＣＬ欄
９１０    アンテナ
９２０    ＲＦ増幅器
９３０    周波数変換器
９４０    可変利得増幅器
９５０    復調部
９６０    ベースバンド部
９７０    制御部
９８０    Ａ／Ｄコンバータ
９８１    Ａ／Ｄコンバータ
９９０    Ｄ／Ａコンバータ
１０００    帰還部
１０１０    ＲＳＳＩ測定用ＩＣ
【図１】
2004304627.tif 000003
【図２】
2004304627.tif 000004
【図３】
2004304627.tif 000005
【図４】
2004304627.tif 000006
【図５】
2004304627.tif 000007
【図６】
2004304627.tif 000008